(57)【要約】【課題】着座者の姿勢に、背もたれの形状をより合わせやすくする。【解決手段】脚１の上部に取り付けられたベース２に対する背支持体３の後傾に連動して座支持体４が移動する椅子であって、背支持体３に取り付けられた背もたれは、背もたれ上部５ａと背もたれ上部５ａに対して前方に屈曲可能な背もたれ下部５ｂとを有すると共に、その屈曲位置６の高さは、着座者の胸椎と腰椎との境界位置の高さに設定されており、背支持体３の後傾に連動して背もたれ下部５ｂを前方に屈曲させるリンク機構７を備えている。【選択図】図１
2008183356.tif 000002
【特許請求の範囲】
【請求項１】
脚の上部に取り付けられたベースに対する背支持体の後傾に連動して座支持体が移動する椅子において、前記背支持体に取り付けられた背もたれは背もたれ上部と当該背もたれ上部に対して前方に屈曲可能な背もたれ下部とを有すると共に、その屈曲位置の高さは着座者の胸椎と腰椎との境界位置の高さに設定されており、前記背支持体の後傾に連動して前記背もたれ下部を前方に屈曲させるリンク機構を備えることを特徴とする椅子。
【請求項２】
前記リンク機構は、前記背もたれ下部に揺動自在に連結された第１のリンクと、前記背支持体と前記第１のリンクにそれぞれ揺動自在に連結された第２のリンクと、前記背支持体の後傾に伴う当該背支持体と前記座支持体との間の距離の変化に応じて前記第２のリンクを揺動させる揺動機構を備えることを特徴とする請求項１記載の椅子。
【請求項３】
前記第１のリンクは長さ調節可能であることを特徴とする請求項２記載の椅子。
【請求項４】
前記背支持体は背もたれフレームであり、当該背もたれフレームにテンション材を張ることで前記背もたれ上部が構成され、前記背もたれフレームに前後方向に揺動可能に連結された下部フレームを設けると共に、当該下部フレームにテンション材を張ることで前記背もたれ下部が構成され、前記座支持体は座フレームであり、当該座フレームにテンション材を張ることで座が構成されることを特徴とする請求項１から３のいずれか一つに記載の椅子。
【発明の詳細な説明】
【技術分野】
【０００１】
本発明は、背もたれの後傾に連動して座が移動する所謂シンクロロッキング機構を有する椅子に関する。
【背景技術】
【０００２】
背もたれ付きの椅子として、図１４に示すように、背もたれ上部１０１の下に背もたれ下部１０２を設け、背支持杆１０３の後傾に伴って背もたれ下部１０２を屈曲させて着座者の腰部を支えるものがある（特開平７−１８４７４１号）。固定枠体１０４と背支持杆１０３の上部との間に、板ばね１０５を突っ張った状態で配置し、背支持杆１０３の後傾による板ばね１０５の曲がり変形を利用して背もたれ下部１０２を屈曲させている。
【０００３】
【特許文献１】特開平７−１８４７４１号
【発明の開示】
【発明が解決しようとする課題】
【０００４】
しかしながら、上述の椅子では、背もたれ下部１０２を屈曲させた場合の背もたれ全体の形状が着座者の姿勢に適した形状になることまでは考慮されておらず、着座者の姿勢に背もたれ全体の形状が合っているとは必ずしも言えなかった。
【０００５】
本発明は、着座者の姿勢に背もたれの形状をより合わせることができる椅子を提供することを目的とする。
【課題を解決するための手段】
【０００６】
かかる目的を達成するために請求項１記載の発明は、脚の上部に取り付けられたベースに対する背支持体の後傾に連動して座支持体が移動する椅子において、背支持体に取り付けられた背もたれは背もたれ上部と背もたれ上部に対して前方に屈曲可能な背もたれ下部とを有すると共に、その屈曲位置の高さは着座者の胸椎と腰椎との境界位置の高さに設定されており、背支持体の後傾に連動して背もたれ下部を前方に屈曲させるリンク機構を備えるものである。
【０００７】
したがって、着座者が背もたれに凭り掛かると、背もたれの後傾に連動して座が移動し、リンク機構が背もたれ下部を前方に屈曲させる。これにより、着座した際に着座者の腰部が背もたれから離れていたとしても、着座者の腰部を背もたれ下部によって支持することができる。ここで、人間の体は胸部よりも腰部の方が可動範囲が大きく、着座姿勢は上半身を胸椎と腰椎の境界位置から屈曲させてその下の腰部が背もたれから離れる姿勢になることが多い。本発明では、背もたれ下部の屈曲位置の高さは着座者の胸椎と腰椎との境界位置の高さに設定されているので、着座者の上半身の屈曲に応じて背もたれ下部を屈曲させることができる。
【０００８】
また、請求項２記載の椅子は、リンク機構が、背もたれ下部に揺動自在に連結された第１のリンクと、背支持体と第１のリンクにそれぞれ揺動自在に連結された第２のリンクと、背支持体の後傾に伴う背支持体と座支持体との間の距離の変化に応じて第２のリンクを揺動させる揺動機構を備えたものである。着座者が背もたれに凭り掛かることで背もたれが後傾し座が移動すると、背支持体と座支持体との位置関係が変化し両者間の距離が変化する。これにより、第２のリンクが背支持体に対して揺動し、第１のリンクを揺動させて背もたれ下部を前方に屈曲させる。
【０００９】
また、請求項３記載の椅子は、第１のリンクが長さ調節可能である。したがって、第１のリンクを長くすると、背もたれ下部がより前方に大きく屈曲する。また、第２のリンクを短くすると、背もたれ下部の屈曲が小さくなる。
【００１０】
さらに、請求項４記載の椅子は、背支持体は背もたれフレームであり、背もたれフレームにテンション材を張ることで背もたれ上部が構成され、背もたれフレームに前後方向に揺動可能に連結された下部フレームを設けると共に、下部フレームにテンション材を張ることで背もたれ下部が構成され、座支持体は座フレームであり、座フレームにテンション材を張ることで座が構成されるものである。したがって、着座者の体をテンション材によって支持することができる。
【発明の効果】
【００１１】
請求項１記載の椅子では、背支持体に取り付けられた背もたれは背もたれ上部と背もたれ上部に対して前方に屈曲可能な背もたれ下部とを有すると共に、その屈曲位置の高さは着座者の胸椎と腰椎との境界位置の高さに設定されており、背支持体の後傾に連動して背もたれ下部を前方に屈曲させるリンク機構を備えているので、背もたれの後傾に連動して背もたれ下部を前方に屈曲させることができる。このため、着座者が背もたれに凭り掛かった場合に着座者の腰部と背もたれとの間に隙間が生じるのを防止することができ、広い範囲で背中を支えることができて座り心地を向上させることができる。また、人間の体は胸部よりも腰部の方の可動範囲が大きく、着座姿勢の変化は胸部に対して腰部を屈曲させるようなものになることが多い。即ち、胸部と腰部との境界部分から体を屈曲させるように着座姿勢が変化することが多い。本発明は、背もたれ上部と背もたれ下部との屈曲位置の高さを着座者の胸椎と腰椎の境界位置の高さに合わせているので、着座者の姿勢に背もたれの形状をより合わせやすくなり、座り心地をより一層向上させることができる。
【００１２】
また、請求項２記載の椅子のように、リンク機構が、背もたれ下部に揺動自在に連結された第１のリンクと、背支持体と第１のリンクにそれぞれ揺動自在に連結された第２のリンクと、背支持体の後傾に伴う背支持体と座支持体との間の距離の変化に応じて第２のリンクを揺動させる揺動機構を備えることが好ましく、簡単な構成で背もたれの後傾に応じて背もたれ下部を前方に屈曲させることができる。このため、椅子の製造コストを下げることができると共に、椅子の重量化防止を図ることができる。
【００１３】
また、請求項３記載の椅子では、第１のリンクが長さ調節可能であるので、背もたれ上部に対する背もたれ下部の位置を変化させて、背もたれ下部の屈曲角度を調節することができる。
【００１４】
さらに、請求項４記載の椅子では、背支持体は背もたれフレームであり、背もたれフレームにテンション材を張ることで背もたれ上部が構成され、背もたれフレームに前後方向に揺動可能に連結された下部フレームを設けると共に、下部フレームにテンション材を張ることで背もたれ下部が構成され、座支持体は座フレームであり、座フレームにテンション材を張ることで座が構成されているので、着座者の体をテンション材によって支持することができる。テンション材は着座者の体の形状に応じて良好に変形し、形状の追従性に優れている。このため、着座者が違和感を感じ難く、座り心地を向上させることができる。
【発明を実施するための最良の形態】
【００１５】
以下、本発明の構成を図面に示す最良の形態に基づいて詳細に説明する。
【００１６】
図１〜図１３に本発明の椅子の実施形態の一例を示す。椅子は、脚１の上部に取り付けられたベース２に対する背支持体３の後傾に連動して座支持体４が移動するものであって、背支持体３に取り付けられた背もたれ５は、背もたれ上部５ａと、背もたれ上部５ａに対して前方に屈曲可能な背もたれ下部５ｂとを有すると共に、その屈曲位置６の高さは着座者の胸椎と腰椎との境界位置の高さに設定されており、背支持体３の後傾に連動して背もたれ下部５ｂを前方に屈曲させるリンク機構７を備えている。なお、着座者の胸椎と腰椎との境界位置の高さは、例えば標準的な体格の着座者の標準的な座り姿勢を基準に決定する。ただし、着座者の体格や座り姿勢が異なっても胸椎や腰椎の位置が大きく変わるわけではないので、標準的な体格の着座者の標準的な座り方を基準に胸椎と腰椎との境界位置の高さ決定しても不都合はない。
【００１７】
ベース２は脚１の上端に嵌め込まれている。ベース２の前部上面には、例えば２つの凸部８が形成されている。凸部８の側面には溝８ａが形成されており、溝８ａの下の段部８ｂの後部は傾斜面８ｃとなっている。また、ベース２の前後方向中央部には椅子の幅方向に突出する第１の揺動中心軸９が形成されている。
【００１８】
背支持体３は、例えば背もたれフレームであり、背もたれ５の上端縁を構成する上部３ａと、上部３ａの両端から垂下する左右の側部３ｂと、左右の側部３ｂの下端からそれぞれ前方に延出する左右の水平部３ｃより構成されている。左右の水平部３ｃは先端を椅子の幅方向内側に向けて傾斜させている。左右の水平部３ｃの先端は第１の揺動中心軸９に揺動自在に連結されている。背支持体３は、例えばベース２と背支持体３との間に設けられた図示しない反力機構によって起立する方向に常時付勢されている。
【００１９】
椅子には、背もたれフレームである背支持体３に前後方向に揺動可能に連結された下部フレーム１０が設けられている。下部フレーム１０は、背もたれ下部５ｂの両側縁を構成する左右の側部１０ａと、左右の側部１０ａを下端近傍位置で連結する連結部１０ｂより構成されている。左右の側部１０ａの上端は第２の揺動中心軸１１によって背支持体３の側部３ｂに揺動可能に連結されている。このとき、左右の連結部分は、それぞれ別々の第２の揺動中心軸１１によって連結されている。連結部１０ｂには、後述するリンク機構７の第１のリンク１２を連結する係止片１３が例えば溶接によって固着されている。係止片１３は、例えば左右に離れた２個所に設けられている。
【００２０】
背もたれフレームである背支持体３にテンション材１４を張ることで背もたれ上部５ａが構成され、下部フレーム１０にテンション材１４を張ることで背もたれ下部５ｂが構成されている。本実施形態では、背もたれフレームである背支持体３に張るテンション材１４と下部フレーム１０に張るテンション材１４として１枚のテンション材１４を使用し、背もたれ５全体を一枚のテンション材１４によって構成している。ここで、テンション材１４は、例えばキャンバス地、メッシュ地、フィルム地等の丈夫な布地である。なお、テンション材１４は図２にのみ記載し、他の図面にはその記載を省略している。
【００２１】
座支持体４は、例えば座フレームであり、座１５の両側縁を構成する左右の側部４ａと、左右の側部４ａを前端近傍位置で連結する連結部４ｂより構成されている。左右の側部４ａの前部は戻り湾曲部４ｃとなっており、先端を後方に向けて延出させている。左右の側部４ａの先端は前側連結フレーム１６によって連結されている。また、左右の側部４ａの後部近傍位置は後側連結フレーム１７によって連結されている。前側連結フレーム１６及び後側連結フレーム１７は左右の側部４ａに例えば溶接によって固着されている。左右の側部４ａの後側連結フレーム１７よりも後側の位置には前後方向に細長い長孔４ｄが形成されている。座フレームである座支持体４にテンション材１４を張ることで座１５が構成される。
【００２２】
前側連結フレーム１６には前後方向に細長い長孔１６ａが形成されている。長孔１６ａの幅は、図７に示すように前部が細く、後部が太くなっており、後部の太さはベース２に設けられた凸部８の溝８ａの上の段部８ｄの幅とほぼ同じになっている。本実施形態では左右に並んだ２個所に長孔１６ａが設けられており、各長孔１６ａに凸部８の段部８ｄを通して溝８ａに前側連結フレーム１６を嵌め込むことで前側連結フレーム１６がベース２に対して揺動可能且つスライド可能に連結される（図４）。なお、凸部８の段部８ｄは幅の太い位置から長孔１６ａに通される。その後、段部８ｄを長孔１６ａの幅の狭い位置に移動させることで、前側連結フレーム１６がベース２に対してスライド可能に連結され脱落を防止される。また、凸部８の段部８ｂには傾斜面８ｃが形成されているので、前側連結フレーム１６はベース２に対して揺動可能になっている。
【００２３】
後側連結フレーム１７は、左右の側板１７ａと、左右の側板１７ａを連結する２本の連結板１７ｂより構成され、これらは例えば溶接により固着されている。側板１７ａの下側半部は前方に向けて折曲されており、その下端は第３の揺動中心軸１８によって背支持体３の側部３ｂに揺動可能に連結されている。このとき、左右の連結部分は１本の第３の揺動中心軸１８によって連結されている。
【００２４】
リンク機構７は、背もたれ下部５ｂに揺動自在に連結された第１のリンク１２と、背支持体３と第１のリンク１２にそれぞれ揺動自在に連結された第２のリンク１９と、背支持体３の後傾に伴う背支持体３と座支持体４との間の距離の変化に応じて第２のリンク１９を揺動させる揺動機構２０を備えている。揺動機構２０は、例えば第６の揺動中心軸２１とこれを案内する長孔４ｄである。
【００２５】
第２のリンク１９は、左右の側板１９ａと、左右の側板１９ａを連結する１本の連結板１９ｂより構成され、これらは例えば溶接により固着されている。左右の側板１９ａは背支持体３の水平部３ｃの内側に配置され、その下端は第４の揺動中心軸２２によって背支持体３の側部３ｂに揺動自在に連結されている。このとき、左右の連結部分は１本の第４の揺動中心軸２２によって連結されている。
【００２６】
第１のリンク１２の上端は第５の揺動中心軸２３によって下部フレーム１０の係止片１３に揺動自在に連結され、下端は第６の揺動中心軸２１によって第２のリンク１９の側板１９ａの上端に揺動自在に連結されている。第６の揺動中心軸２１は、座支持体４の側部４ａに設けられている長孔４ｄに案内されて移動する。
【００２７】
第１のリンク１２は長さ調節可能である。図１０に長さ調節の機構の一例を示す。第１のリンク１２は、例えば箱状のガイド部２４と、ガイド部２４内に突出可能に収容されたスライド部２５と、ガイド部２４とスライド部２５とを係止する係止手段２６より構成され、係止手段２６は操作手段２７によって操作される。なお、図１，１２，１３には操作手段２７の記載を省略している。
【００２８】
ガイド部２４内には、一定間隔で複数の孔２４ａが設けられた係止板２４ｂが形成されている。また、スライド部２５には１つの孔２５ａが設けられた係止板２５ｂと、係止手段２６を収容するケーシング２５ｃが設けられている。係止板２５ｂは係止板２４ｂを両側から挟むようにして２枚設けられている。係止手段２６は、係止ピン２６ａと、係止ピン２６ａの先端をケーシング２５ｃから突出させるスプリング２６ｂより構成されている。スプリング２６ｂは係止ピン２６ａに設けられたフランジ２６ｃとケーシング２５ｃの壁２５ｄとの間に圧縮した状態で設けられている。スライド部２５には、スリット２５ｅが設けられており、ガイド部２４に設けられたシャフト２４ｃをスリット２５ｅ内に通すことで、ガイド部２４に対するスライド部２５の移動量を制限している。
【００２９】
操作手段２７は、係止ピン２６ａの後端に接続されたワイヤー２７と、ワイヤー２７を操作する操作レバー２８を備えている。ワイヤー２７はチューブ２９内に通されている。また、下部フレーム１０の右側の側部１０ａにはブラケット３０が例えば溶接によって固着されており、操作レバー２８はこのブラケット３０に揺動自在に取り付けられている。操作レバー２８が未操作の状態では、係止ピン２６ａはスプリング２６ｂに付勢されて突出しており、ガイド部２４の係止板２４ｂとスライド部２５の係止板２５ｂの孔２４ａ，２５ａに進入している。したがって、ガイド部２４に対してスライド部２５をスライドさせることはできず、第１のリンク１２の長さを変えることはできない。一方、操作レバー２８を操作してワイヤー２７を引っ張ると、スプリング２６ｂのばね力に抗して係止ピン２６ａが後退し、ガイド部２４の係止板２４ｂの孔２４ａから抜ける。このため、ガイド部２４に対するスライド部２５のスライドが可能となり、第１のリンク１２の長さを変えることができる。第１のリンク１２の長さを変えた後、操作レバー２８から手を離すと、スプリング２６ｂのばね力によって係止ピン２６ａが再び前進する。そして、ガイド部２４の係止板２４ｂに設けられている別の孔２４ａに係止ピン２６ａを進入させることで、第１のリンク１２の長さが異なる長さに固定される。ガイド部２４の係止板２４ｂには複数の孔２４ａが設けられているので、第１のリンク１２の長さを複数段階に調節できる。本実施形態では、４つの孔２４ａを設けているので、第１のリンク１２の長さを４段階に調節することができる。
【００３０】
着座者が背もたれ５に凭り掛かると、反力機構が発生させる反力に抗して背支持体３が第１の揺動中心軸９を中心に後傾する（図１２）。背支持体３の後傾によって第３の揺動中心軸１８が下がるので、後側連結フレーム１７が下降して座支持体４を後ろ斜め下方に引っ張る。したがって、前側連結フレーム１６はベース２の凸部８に対して図４に示すように後方に摺動しながら傾斜し、後側連結フレーム１７は第３の揺動中心軸１８を中心に後傾し、座支持体４が後方に倒れながら斜め後方に移動する。
【００３１】
また、背支持体３の後傾と座支持体４の移動によってこれらの位置関係が変化するので、第４の揺動中心軸２２と座支持体４の側部４ａの長孔４ｄとの間隔が広がり、第６の揺動中心軸２１が長孔４ｄに案内されて前方に移動する。このため、リンク機構７の第１のリンク１２と第２のリンク１９との屈曲角度が変化し、下部フレーム１０を前方に押し出す。即ち、リンク機構７が背もたれ下部５ｂを前方に屈曲させる。これにより、着座１５した際に着座者の腰部が背もたれ５から離れていたとしても、着座者の腰部を背もたれ下部５ｂによって支持することができる。したがって、より広い範囲で背中を支えることができ、座り心地を向上させることができる。
【００３２】
ここで、人間の体は胸部よりも腰部の方が可動範囲が大きく、着座姿勢は上半身を胸椎と腰椎の境界位置から屈曲させてその下の腰部が背もたれ５から離れる姿勢になることが多い。本発明では、背もたれ下部５ｂの屈曲位置６の高さは着座者の胸椎と腰椎との境界位置の高さに設定されているので、着座者の上半身の屈曲に応じて背もたれ下部５ｂを屈曲させることができる。このため、着座者の姿勢に背もたれ５の形状がより合致するものとなり、座り心地を向上させることができる。
【００３３】
一方、背もたれ５に凭り掛かっていた着座者が背もたれ５に凭り掛かるのを止めて上体を起こすと、反力機構が発生する反力によって背支持体３が起立し、図１に示す状態に椅子が戻る。
【００３４】
また、着座者が背もたれ５に凭り掛かっていない状態において、着座者が操作レバー２８を操作しながら下部フレーム１０をそのまま前方に移動させると、図１３に二点鎖線で示すように、リンク機構７の第１のリンク１２の長さが長くなって下部フレーム１０が前方に屈曲する。即ち、背支持体３を後傾させずに背もたれ下部５ｂを屈曲させてその初期位置を前方に移動させることができる。このとき、第１のリンク１２の長さを調節することで、背もたれ下部５ｂの初期位置を前後調節することができる。本実施形態では、第１のリンク１２の長さを４段階に調節することができるので、背もたれ下部５ｂの初期位置を４段階に調節することができる。なお、操作レバー２８は下部フレーム１０に取り付けられているので、着座者は操作レバー２８を操作しながら下部フレーム１０をそのまま移動させることができる。初期位置を変化させた後、背支持体３を後傾させることで、下部フレーム１０を初期位置から更に屈曲させることができる点は、上述の場合と同様である。第１のリンク１２の長さを変えることで背もたれ下部５ｂの初期位置を変化させており、図１３に示すように、第１のリンク１２の長さを変えても第６の揺動中心軸２１と長孔４ｄとの位置関係は殆ど変わらないので、背もたれ下部５ｂの初期位置を変えても背支持体３の後傾による背もたれ下部５ｂの屈曲量は殆ど変わらない。即ち、背もたれ下部５ｂの初期位置を変えても背支持体３を後傾させた場合の屈曲量を一定にすることができる。
【００３５】
なお、上述の形態は本発明の好適な形態の一例ではあるがこれに限定されるものではなく本発明の要旨を逸脱しない範囲において種々変形実施可能である。
【００３６】
例えば、上述の説明では、テンション材１４によって背もたれ５や座１５を構成していたが、必ずしもこれらに限るものではなく、例えばウレタンフォーム等のクッション材を有する背もたれ５や座１５であっても良い。
【００３７】
また、上述の説明では、第１のリンク１２を長さ調節可能としていたが、長さ調節できるようにしなくても良い。
【００３８】
また、上述の説明では、第１のリンク１２の長さを４段階に調節するようにしていたが、調節の段数は４段階に限るものではない。
【図面の簡単な説明】
【００３９】
【図１】本発明の椅子を示し、背もたれを起立させた状態の側面図である。
【図２】本発明の椅子を示し、背もたれを起立させた状態の斜視図である。
【図３】本発明の椅子を示し、テンション材を取り外した状態の平面図である。
【図４】ベースと前側連結フレームとの連結部分を示す図である。
【図５】下部フレームを示し、（Ａ）はその背面図、（Ｂ）はその平面図である。
【図６】座支持体を示し、（Ａ）はその平面図、（Ｂ）はその側面図、（Ｃ）はその背面図である。
【図７】前側連結フレームの平面図である。
【図８】後側連結フレームを示し、（Ａ）はその平面図、（Ｂ）はその背面図である。
【図９】第２のリンクを示し、（Ａ）はその平面図、（Ｂ）はその背面図である。
【図１０】第１のリンクと操作手段を示す断面図である。
【図１１】下部フレームに操作手段を取り付けた様子を示す図である。
【図１２】本発明の椅子を示し、背もたれを後傾させた状態の側面図である。
【図１３】背もたれ下部の初期位置を調節する様子を示す側面図である。
【図１４】従来の椅子を示す側面図である。
【符号の説明】
【００４０】
１  脚
２  ベース
３  背支持体（背もたれフレーム）
４  座支持体（座フレーム）
５  背もたれ
５ａ  背もたれ上部
５ｂ  背もたれ下部
６  屈曲位置
７  リンク機構
１０  下部フレーム
１２  第１のリンク
１４  テンション材
１５  座
１９  第２のリンク
２０  揺動機構
【図１】
2008183356.tif 000003
【図２】
2008183356.tif 000004
【図３】
2008183356.tif 000005
【図４】
2008183356.tif 000006
【図５】
2008183356.tif 000007
【図６】
2008183356.tif 000008
【図７】
2008183356.tif 000009
【図８】
2008183356.tif 000010
【図９】
2008183356.tif 000011
【図１０】
2008183356.tif 000012
【図１１】
2008183356.tif 000013
【図１２】
2008183356.tif 000014
【図１３】
2008183356.tif 000015
【図１４】
2008183356.tif 000016